(57)【要約】二つの部材（１８，２０）を一緒に解放可能に接続する装置は、二つの部材（１８，２０）を含み、それぞれ、他方の部材に対する一方の部材の位置を形成するように協働要素（２２ａ，２４Ａ）を備えている。ダンパー（３０）は、二つの部材が一緒に接続された場合、衝撃を緩和するために少なくとも一方の部材に設けられている。その二つの部材は、モジュラサーフェイスセンシング用プローブの二つのモジュールを含んでいる。そのダンパーは、その部材を一緒に案内することを助けるように案内手段を含み得る。
2005522655.tif 000002
【特許請求の範囲】
【請求項１】
第２の部材に解放可能に接続するために配置される第１の部材を含む装置において、
前記第２の部材における対応する一組の要素と協働する一組の要素を備え、前記第１の部材および該第２の部材が互いに接触する場合、該第２の部材に対する該第１の部材の位置を画定する第１の部材と、
前記第１の部材におけるダンパーと、を含み、
前記第１の部材および前記第２の部材が互いに接触したとき、前記第１の部材と前記第２の部材との間の相対運動が減衰される装置。
【請求項２】
前記第１の部材および前記第２の部材は、磁気的手段により解放可能に共に保持される
請求項１記載の装置。
【請求項３】
前記ダンパーは、ハウジングから突出するように付勢されるピストンが配されるハウジングを含み、該ハウジングが粘質物で満たされている請求項１または２に記載の装置。
【請求項４】
前記ダンパーは、前記第１の部材および前記第２の部材を一緒に案内する補助をする少なくとも１つの案内手段を含んでいる請求項１乃至３のいずれかに記載の装置。
【請求項５】
前記少なくとも１つの案内手段は、前記ダンパーに取り付けられ、前記第２の部材における対応する少なくとも１つの凹部により受け止められる少なくとも一つのガイドピンを含む請求項４記載の装置。
【請求項６】
前記少なくとも１つのガイドピンおよび前記少なくとも１つの対応する凹部の配置は、
前記少なくとも１つのガイドピンおよび凹部が前記協働要素により画定される前記第２の部材に対する前記第１の部材の位置に干渉しないというものである請求項５記載の装置。
【請求項７】
前記第１の要素および前記第２の要素は、運動学的に前記第２の部材に対する前記第１の部材の位置を画定する請求項１乃至請求項６のいずれかに記載の装置。
【請求項８】
前記第１の部材および第２の部材は、共に接続される場合、前記第２の部材に対する前記第１の部材の位置が前記協働要素によりひとえに画定される請求項１乃至請求項７のいずれかに記載の装置。
【請求項９】
前記第１の部材は、モジュラサーフェイスセンシング用プローブのリテイニングモジュールであり、前記第２の部材は、該モジュラサーフェイスセンシング用プローブのタスクモジュールである請求項１乃至請求項８のいずれかに記載の装置。
【請求項１０】
前記第２の部材は、モジュラサーフェイスセンシング用プローブのリテイニングモジュールであり、前記第１の部材は、該モジュラサーフェイスセンシング用プローブのタスクモジュールである請求項１乃至請求項８のいずれかに記載の装置。
【請求項１１】
前記第２の部材と組み合わせ、該第２の部材もまたダンパーを含み、
前記第１の部材と前記第２の部材との間の相対運動が、該第１の部材と該第２の部材が互いに接触したとき、減衰される請求項１乃至請求項１０のいずれかに記載の装置。
【請求項１２】
モジュラサーフェイスセンシング用プローブのリテイニングモジュールを解放可能に接続するタスクモジュールにおいて、
リテイニングモジュールに解放可能に結合される部材と、
前記リテイニングモジュールにおける対応する一組の要素と協働し、前記タスクモジュールおよび前記リテイニングモジュールが互いに接触する場合、前記プローブに対する前記タスクモジュールの位置決めを画定する前記部材における一組の要素と、
前記タスクモジュールにおけるダンパーと、を含み、
前記タスクモジュールとリテイニングモジュールとの間の相対運動が、前記タスクモジュールおよびリテイニングモジュールが互いに接触したとき、減衰されるタスクモジュール。
【請求項１３】
前記リテイニングモジュールおよび前記タスクモジュールは、それぞれ、プローブヘッド、プローブを含む請求項１２記載のタスクモジュール。
【請求項１４】
前記リテイニングモジュールおよび前記タスクモジュールは、センシング用モジュールおよびプローブにおけるスタイラス用モジュールを含む請求項１２記載のタスクモジュール。
【請求項１５】
前記ダンパーは、前記部材におけるダンパーハウジングと、該ダンパーハウジングに配され、該ハウジングから突出するように付勢されるダンパーピストンとを含む請求項１２乃至請求項１４のいずれかに記載のタスクモジュール。
【請求項１６】
前記ハウジングは、前記ダンパハウジング内の前記ダンパピストンの移動に抵抗するように粘質物で満たされる請求項１５記載のタスクモジュール。
【請求項１７】
リテイニングモジュールと、
前記センシング用モジュールに解放可能に接続されるタスクモジュールと、
前記リテイニングモジュールにおける第１の一組の要素、および、前記タスクモジュールの第２の一組の要素であって、前記タスクモジュールおよび前記リテイニングモジュールが互いに接触した場合、前記リテイニングモジュールに対するタスクモジュールの位置決めを画定するように協働する第１の一組の要素および第２の一組の要素と、を含み、
ダンパーが前記タスクモジュールおよび前記リテイニングモジュールのうちの少なくとも一方に設けられ、前記タスクモジュールと前記リテイニングモジュールとの間の相対運動は、該タスクモジュールおよび該リテイニングモジュールが互いに接触するとき、減衰されるモジュラサーフェイスセンシング用プローブ。
【発明の詳細な説明】
【技術分野】
【０００１】
本発明は、運動学的に結合される部品のためのダンピング（ｄａｍｐｉｎｇ）に関する。特に、本発明はタッチプローブにおける運動学的に結合された部品のダンピングに適している。
【背景技術】
【０００２】
我々の先の欧州特許第０５０１７１０号は、磁気的手段により一緒に保持されるセンシング用モジュールおよびスタイラス用モジュールを含み、それらの相対位置がキネマティックエレメントにより画定されるプローブを開示している。そのスタイラス用モジュールは、被加工物に接触することで振れる被加工物接触用スタイラスを保持する。そのセンシング用モジュールは、コーディネートポジショニングマシーン（coordinate positioning machine）の可動アームに接続され得る固定構造を含み、そのスタイラスの振れを検出するトランスデューサを含んでいる。そのプローブにおけるモジュールの特質により、そのスタイラスモジュールが交換可能とされ、従って、異なる形式のスタイラス、例えば、異なる長さのスタイラスが使用可能とされる。
【０００３】
【特許文献１】欧州特許第０５０１７１０号
【特許文献２】米国特許第５４４６９７０号
【発明の開示】
【発明が解決しようとする課題】
【０００４】
このプローブは、非常に大きなスタイラスが使用される場合、そのセンシング用モジュールにおけるスタイラスモジュールを保持するために必要とされる磁力がまた大きいという短所を有する。その大きな磁力は、その二つのモジュールが一緒に接続される場合、衝撃を引き起こしセンシング用モジュールにおけるその電気変換器の調子を狂わせ、信頼できなくなるといったようなことがある。
【０００５】
さらに、その衝撃は、モジュールのキネマティックエレメントに対し磨耗および損傷を引き起こし、そのシステムの度量衡に悪影響を与えるだろう。
【課題を解決するための手段】
【０００６】
本発明に係る装置は、第２の部材に解放可能に接続するために配置される第１の部材を含む装置において、第２の部材における対応する一組の要素と協働する一組の要素を備え、第１の部材および第２の部材が互いに接触する場合、第２の部材に対する第１の部材の位置を画定する前記第１の部材と、第１の部材におけるダンパーと、を含み、第１の部材および第２の部材が互いに接触したとき、第１の部材と第２の部材との間の相対運動が減衰される。
【０００７】
そのダンパーは、その二つの部材が一緒に接続される場合、衝撃を減少させる。
【０００８】
好ましくは、第１の部材および第２の部材は、磁気的手段により解放可能に共に保持される。
【０００９】
好ましくは、ダンパーは、ハウジングから突出するように付勢されるピストンが配されるハウジングを含み、ハウジングが粘質物で満たされている。
【００１０】
ダンパーは、第１の部材および第２の部材を一緒に案内する補助をする少なくとも１つの案内手段を含んでいる。少なくとも１つの案内手段は、ダンパーに取り付けられ、第２の部材における対応する少なくとも１つの凹部により受け止められる少なくとも一つのガイドピンを含むものでもよい。少なくとも１つのガイドピンおよび少なくとも１つの対応する凹部の配置は、少なくとも１つのガイドピンおよび凹部が協働要素により画定される前記第２の部材に対する前記第１の部材の位置に干渉しないというものであってもよい。
【００１１】
好ましくは、第１および第２の要素は、第２の部材に対し第１の部材を運動学的に抑制する。第１の部材および第２の部材は、共に接続される場合、第２の部材に対する前記第１の部材の位置が協働要素によりひとえに画定される。
【００１２】
第１の部材は、モジュラサーフェイスセンシング用プローブのリテイニングモジュールであり、第２の部材は、モジュラサーフェイスセンシング用プローブのタスクモジュールである。
【００１３】
本発明の第２の形態は、第２の部材に解放可能に接続されるように配される第１の部材と、第２の部材とを組み合わせる装置において、第２の部材における対応する一組の要素と協働する一組の要素を備え、第１の部材および第２の部材が互いに接触する場合、第２の部材に対する第１の部材の位置を画定する第１の部材と、第１の部材におけるダンパーと、を含み、第１の部材および第２の部材が互いに接触したとき、第１の部材と第２の部材との間の相対運動が減衰される。第２の部材は、またダンパーを備え、第１の部材と第２の部材との間の相対運動が、第１の部材および第２の部材が互いに接触する場合、減衰される。
【００１４】
本発明の第３の形態は、モジュラサーフェイスセンシング用プローブのリテイニングモジュールを解放可能に接続するタスクモジュールにおいて、リテイニングモジュールに解放可能に結合される部材と、リテイニングモジュールにおける対応する一組の要素と協働し、タスクモジュールおよびリテイニングモジュールが互いに接触する場合、プローブに対するタスクモジュールの位置決めを画定する部材における一組の要素と、タスクモジュールにおけるダンパーと、を含み、タスクモジュールとリテイニングモジュールとの間の相対運動が、タスクモジュールおよびリテイニングモジュールが互いに接触したとき、減衰される。
【００１５】
リテイニングモジュールおよびタスクモジュールは、それぞれ、少なくとも１つの軸線回りに回転可能なアーティキュレイティングプローブヘッド（ａｒｔｉｃｕｌａｔｉｎｇ  ｐｒｏｂｅ  ｈｅａｄ）のようなプローブヘッドと、プローブとを含むものでもよい。リテイニングモジュールおよびタスクモジュールは、センシング用モジュールおよびプローブにおけるスタイラス用モジュールを含むものでもよい。
【００１６】
ダンパーは、部材におけるダンパーハウジングと、ダンパーハウジングに配され、ハウジングから突出するように付勢されるダンパーピストンとを含むものでもよい。ハウジングは、ダンパーハウジング内のダンパーピストンの移動に抵抗するように粘質物で満たされてもよい。
【００１７】
本発明の第４の形態のモジュラサーフェイスセンシング用プローブは、リテイニングモジュールと、センシング用モジュールに解放可能に接続されるタスクモジュールと、リテイニングモジュールにおける第１の一組の要素、および、タスクモジュールの第２の一組の要素であって、タスクモジュールおよびリテイニングモジュールが互いに接触した場合、リテイニングモジュールに対するタスクモジュールの位置決めを画定するように協働する第１の一組の要素および第２の一組の要素と、を含み、ダンパーがタスクモジュールおよびリテイニングモジュールのうちの少なくとも一方に設けられ、タスクモジュールとリテイニングモジュールとの間の相対運動は、タスクモジュールおよびリテイニングモジュールが互いに接触するとき、減衰される。
【００１８】
この明細書中に使用されるような「運動学的な」、「運動学的」などの用語の意義の記述について米国特許第５４４６９７０号が参照されるべきである。これらの用語は、点接触が部材／モジュールにおける各対の要素間に設けられるキネマティックサポートばかりでなく、各要素間に線接触の小さな領域がある半、あるいは疑似のキネマティックサポートを包括的に含む。
【００１９】
本発明の好ましい実施例は、添付図面を参照し一例として説明されるだろう。図中。
【発明を実施するための最良の形態】
【００２０】
図１は、センシング用モジュール１２およびスタイラス用モジュール１４を含む三次元座標測定機（ＣＭＭ）における可動アーム８に取り付けられて示される本発明のアナログプローブ１０（ａｎａｌｏｇｕｅ  ｐｒｏｂｅ）の略図である。スタイラス用モジュール１４は、被加工品接触用のスタイラス１６を有し、センシング用モジュール１２は、スタイラス１６の振れを測定する電気変換器（不図示）を有している。スタイラス用モジュール１４は、センシング用モジュール１２に対し取り外し可能であり、また、取り外され、他のスタイラス用モジュールと交換され得る。例えば、より長いスタイラスを有するスタイラス用モジュールと交換され得る。スタイラス用モジュール１４は、センシング用モジュール１２の取付用プレート２０に接続可能であるプレート１８を備えている。プレート１８および取付用プレート２０は、磁気的に共に保持され、それぞれ、センシング用モジュール１２の取付用プレート２０に対しスタイラス用モジュール１４の位置を画定し、スタイラス用モジュール１４の位置の再現性を確実にするようにキネマティックエレメント２２，２４を備えている。
【００２１】
図２〜図４は、より詳細に、そのプローブにおけるスタイラス用モジュール１４およびセンシング用モジュール１２の一部を示す。センシング用モジュール１２は、スタイラス用モジュール１４のプレート１８が接続される取付用プレート２０を有している。モジュール１２，１４は、センシング用モジュール１２の取付用プレート２０に対しスタイラス用モジュール１４のプレート１８の位置を画定するように協働のキネマティックエレメント（ｋｉｎｅｍａｔｉｃ  ｅｌｅｍｅｎｔｓ）を有している。キネマティックエレメントは、図３および図４に示されるように、取付用プレート２０において同様な間隔で配される一組の３対の半径方向に平行なローラ２４Ａと協働するプレート１８の中心の回りに１２０°間隔で配される一組の３個のボール２２Ａを含み得る。代替的な一組の要素が、取付用プレート２０に対しスタイラス用モジュール１４の位置を画定するように使用されてもよい。例えば、一対の平行なローラは、他方のプレートにおける単一のボールと協働する一方のプレートにおける一対のボールと交換されてもよい。
【００２２】
プレート１８および取付用プレート２０は、強力な磁石により一緒に保持される。図２は、センシング用モジュール１２に設けられる磁石２６、および、スタイラス用モジュール１４に設けられるキーパプレート（ｋｅｅｐｅｒ  ｐｌａｔｅ）２８を示す。
【００２３】
ダンパーは、センシング用モジュール１２とスタイラス用モジュール１４との間に設けられ、二つのモジュールが一緒に動かされる場合、その衝撃を緩衝する。
【００２４】
そのダンパーは、モジュールのいずれか一方または両方に設けられてもよい。
【００２５】
図２は、リテイニングモジュールに配置されているダンパーを示す。そのダンパーは、センシング用モジュール１２の取付用プレート２０の背後に、ダンパーハウジング３２に挿入されるダンパーピストン３０を含んで成る。３つのガイドピン３４は、ダンパーピストン３０に接続され、取付用プレート２０における３個の開口３６を通じて突出している。そのガイドピン３４および開口３６は、取付用プレート２０の中心の回りに１２０°間隔で配されている。
【００２６】
グリース、オイルまたは空気のような粘質物３３は、ダンパーハウジング３２内に設けられ、ダンパーピストン３０の移動に対する抵抗をもたらす。ダンパーピストン３０は、ダンパーハウジング３２とダンパーピストン３０との間のスプリング３８によりダンパーハウジング３２から離隔するように付勢されている。
【００２７】
スタイラス用モジュール１４は、ガイドピン３４を受け止めるための３つの凹部４０を備えている。スタイラス用モジュール１４がセンシング用モジュール１２に接触されるとき、ガイドピン３４は、スタイラス用モジュール１４におけるそれらに対応する凹部４０
に挿入される。ガイドピン３４は、スタイラス用モジュール１４により押し返され、そして次に、ダンパーピストン３０をダンパーハウジング３２内に押し込み、そのグリースにおける粘性減衰効果によって抵抗を引き起こす。
【００２８】
スタイラス用モジュール１４がセンシング用モジュール１２に正確に一致しない場合、例えば、スタイラス用モジュール１４が傾けられた場合、ガイドピン３４は、キネマティックエレメント２０，２４が一緒に接続するようにスタイラス用モジュール１４を正確に調整する手助けをするという付加の利点を有する。
【００２９】
そのガイドピンは、その二つのモジュールにおける初期の位置合わせにおいて助けになる。しかしながら、そのモジュールが接続されたならば、そのガイドピンが、キネマティックエレメントにより画定されるようなスタイラス用モジュールの位置決めを行わないことが重要である。そのガイドピンおよび対応する凹部は、従って、センシング用モジュールに対するスタイラスモジュールの横の位置を拘束しないように隙間嵌めである。
【００３０】
図５〜図７に示されるような第２実施例において、そのダンパーは、そのスタイラス用モジュールに設けられている。上述の実施例と同一の特徴は、同一の参照数字を使用する。スタイラスモジュールプレート１４におけるキーパプレート２８は、ダンパーハウジング３２を収容する凹部を有している。ダンパーピストン３０は、このハウジングに位置決めされる。上述と同様に、ダンパーピストン３０が、ハウジング３２とダンパーピストン３０との間のスプリング３８によりハウジング３２から突出するように付勢されている。
グリース、オイルまたは空気のような粘質物は、ダンパーハウジング３２内に設けられている。従って、スタイラス用モジュール１４がセンシング用モジュール１２に接触される場合、ダンパーピストン３０は、センシング用モジュール１２の取付プレート２０により粘質物に抗してハウジング３２内に押し込まれ、衝撃を和らげ、変換された信号のインテグリティ（ｉｎｔｅｇｒｉｔｙ）を維持する。
【００３１】
図８は、より詳細に第２実施例のダンパーを示す。ダンパーハウジング３２は、その開口端部にリップ４２を有し、そのピストンがダンパーハウジング３２内にとどまるためのラグ４４を備えている。
【００３２】
上述したように、協働キネマティックエレメントは、そのセンシング用モジュールにおけるスタイラス用モジュールの位置を画定する。そのダンパーがそのスタイラス用モジュールのこの位置に対し干渉しないということが重要である。その結果、そのセンシング用モジュールに対するスタイラス用モジュールの位置がそのキネマティックエレメントにより、ひとえに明確に維持される。そのダンパーは、従って、そのモジュールの隣接する面に対し直交する移動に対する抵抗を示すが、その面に平行な移動を抑制しないものでなければならない。
【００３３】
上述の実施例において、粘性のダンパーが使用されている。そのダンパーピストンとそのダンパーピストンが接する面との間の摩擦は、そのダンパーピストンに作用される力により変化する。強い力がそのピストンに作用される場合、強い摩擦力がもたらされ、小さな力がそのピストンに作用される場合、小さな摩擦力がもたらされる。
【００３４】
そのモジュールが接触される場合、強い力がそのピストンに作用され、そのピストンと他のモジュールの当接面との間に強い摩擦力がある。しかしながら、そのモジュールがその接触位置にあるならば、そのピストンにおける力は、小さく、そのピストンとその当接面との間の小さな摩擦力がもたらされる。従って、そのモジュールが接続されたならば、そのピストンは、そのスタイラス用モジュールの横移動を抑制しない。これにより、そのセンシング用モジュールにおけるスタイラス用モジュールの位置が、そのキネマティックエレメントにより、ひとえに画定されるという望ましい結果となる。
【００３５】
他の形式のダンパーが、例えば、従来のオイルまたは空気のダンパーが二つのモジュールの間で使用されてもよい。
【００３６】
本発明は、運動学的に連結されたセンシング用モジュールとスタイラス用モジュールとの間のダンパーに制限されない。そのダンピングは、それらが一緒に動く場合、衝撃を制限するようにいずれかの運動学的に結合された表面に設けられてもよく、そのキネマティックエレメントに対する磨耗および損傷を防止し、ここで関連して、トランスデューサの振れのインテグリティを維持する。
【図面の簡単な説明】
【００３７】
【図１】プローブにおける内部を示す略図を示す。
【図２】センシング用モジュールおよびスタイラス用モジュールの一部における断面図を示す。
【図３】スタイラス用モジュールのプレートを示す。
【図４】センシング用モジュールのプレートを示す。
【図５】本発明の第２実施例におけるセンシング用モジュールおよびスタイラス用モジュールの一部の断面図を示す。
【図６】本発明の第２実施例におけるスタイラス用モジュールのプレートを示す。
【図７】本発明の第２実施例におけるセンシング用モジュールのプレートを示す。
【図８】本発明の第２実施例におけるダンパーを示す。
【図１】
2005522655.tif 000003
【図２】
2005522655.tif 000004
【図３】
2005522655.tif 000005
【図４】
2005522655.tif 000006
【図５】
2005522655.tif 000007
【図６】
2005522655.tif 000008
【図７】
2005522655.tif 000009
【図８】
2005522655.tif 000010
【国際調査報告】
2005522655.tif 000011
2005522655.tif 000012
2005522655.tif 000013
2005522655.tif 000014